(57)【特許請求の範囲】
【請求項１】
トップシートと、バックシートと、これらの両シート間に介在される吸収体コアとからなり、後胴回り部の前後方向中間部における左右両側端部には、前胴回り部の所定部位に対して着脱自在とされる固定テープが取り付けられている使い捨ておむつであって、前記固定テープの固定端部を、前記トップシートと前記バックシートとの間に挟持することにより前記後胴回り部の左右両側端部に固着するとともに、前記後胴回り部の前後方向全域には、幅方向に延びる平行な多数の弾性伸縮部材を前記後胴回り部の幅方向両端部には存在せず且つ前記固定テープにおける固定端部の一部が重なるように配設する一方、前記固定テープの取付部位間に配設された弾性伸縮部材の配設ピッチを、その前後方向両側の部分における配設ピッチより小さく設定したことを特徴とする使い捨ておむつ。
【請求項２】
前記弾性伸縮部材の全部あるいは一部を、幅方向中央部が股下部に向かって湾曲する曲線を呈するように配設したことを特徴とする請求項１記載の使い捨ておむつ。
【請求項３】
前記弾性伸縮部材のうち前記吸収体コアに対応して配設されたものには、カッターを用いて前記バックシートとともにカットすることにより形成された多数の穴からなる伸縮性を無くす手段を設けたことを特徴とする請求項１および２のいずれか一項記載の使い捨ておむつ。
【請求項４】
前記弾性伸縮部材のうち前記吸収体コアに対応して配設されたものには、熱シールと加圧とを併用して前記バックシートとともにカットすることにより形成された多数の穴からなる伸縮性を無くす手段を設けたことを特徴とする請求項１および２のいずれか一項記載の使い捨ておむつ。
【請求項５】
前記吸収体コアに対応する部分には、弾性伸縮部材を設けないことを特徴とする請求項１および２のいずれか一項記載の使い捨ておむつ。
【発明の詳細な説明】
【０００１】
【発明の属する技術分野】
【０００２】
本願発明は、装着時に前後胴回り部を固定テープを介して結合するようにした使い捨ておむつに関するものである。
【従来の技術】
【０００３】
図１に示すように、従来から使い捨ておむつを装着する際に、後胴回り部６の左右両側端部６ａ，６ａに取り付けられた固定テープの仮止め端部を前胴回り部５の所定部位に着脱させるようにしたものはよく知られている。
【０００４】
上記構成の従来の使い捨ておむつの場合、図８に示すように、後胴回り部６には、幅方向に延びる多数の弾性伸縮部材が平行に等間隔で配設されることとなっており、このことにより、後胴回り部６の胴回り背面部分へのフィット感を向上させるようにしている。なお、弾性伸縮部材は、後胴回り部６の全域ではなく、該後胴回り部６おける上端部６ｂから固定テープの取付部位にかけての部分にのみ配設されている。
【発明が解決しようとする課題】
【０００５】
ところが、上記のように構成した場合、後胴回り部６全体で胴回りの脇部分を完全に固定することが難しいとともに、最もズレに関与する領域である固定テープの取付部位でのズレ発生を抑えることが難しくなるという問題が生じる。
【０００６】
本願発明は、上記の点に鑑みてなされたもので、弾性伸縮部材の配設構造を工夫することにより、胴回りの脇部分を固定して装着時のズレ発生を防止することを目的とするものである。
【課題を解決するための手段】
【０００７】
請求項１の発明では、上記課題を解決するための手段として、トップシートと、バックシートと、これらの両シート間に介在される吸収体コアとからなり、後胴回り部の前後方向中間部における左右両側端部には、前胴回り部の所定部位に対して着脱自在とされる固定テープが取り付けられている使い捨ておむつにおいて、前記固定テープの固定端部を、前記トップシートと前記バックシートとの間に挟持することにより前記後胴回り部の左右両側端部に固着するとともに、前記後胴回り部の前後方向全域に、幅方向に延びる平行な多数の弾性伸縮部材を前記後胴回り部の幅方向両端部には存在せず且つ前記固定テープにおける固定端部の一部が重なるように配設する一方、前記固定テープの取付部位間に配設された弾性伸縮部材の配設ピッチを、その前後方向両側の部分における配設ピッチより小さく設定している。
【０００８】
上記のように構成したことにより、後胴回り部の前後方向全域に、幅方向に延びる平行な多数の弾性伸縮部材が前記後胴回り部の幅方向両端部には存在せず且つ前記固定テープにおける固定端部の一部が重なるように配設され、後胴回り部が胴回りの脇部分全体に固定されることとなり、装着時におけるズレ発生を防止することができる。しかも、後胴回り部の前後方向中間部における左右両側端部に取り付けられた固定テープの取付部位間に配設された弾性伸縮部材の配設ピッチを、その前後方向両側の部分における配設ピッチより小さく設定しているので、固定テープの取付部位間に弾性伸縮部材が集束配設されることとなり、装着時におけるズレ発生をより確実に防止することができる。
【０００９】
請求項２の発明におけるように、請求項１記載の使い捨ておむつにおいて、前記弾性伸縮部材の全部あるいは一部を、幅方向中央部が股下部に向かって湾曲する曲線を呈するように配設した場合、曲線を呈する弾性伸縮部材が幼児の背中のラインに沿ってフィットすることとなり、装着時のズレ防止効果がより向上する。
【００１０】
請求項３の発明におけるように、請求項１および２のいずれか一項記載の使い捨ておむつにおいて、前記弾性伸縮部材のうち前記吸収体コアに対応して配設されたものに、カッターを用いて前記バックシートとともにカットすることにより形成された多数の穴からなる伸縮性を無くす手段を設けた場合、吸収体コアへのシワ入りが防止されることとなり、排泄物の漏れを確実に防止することができる。
【００１１】
請求項４の発明におけるように、請求項１および２のいずれか一項記載の使い捨ておむつにおいて、前記弾性伸縮部材のうち前記吸収体コアに対応して配設されたものには、熱シールと加圧とを併用して前記バックシートとともにカットすることにより形成された多数の穴からなる伸縮性を無くす手段を設けた場合、吸収体コアへのシワ入りが防止されることとなり、排泄物の漏れを確実に防止することができる。
【００１２】
請求項５の発明におけるように、請求項１および２のいずれか一項記載の使い捨ておむつにおいて、前記吸収体コアに対応する部分に、弾性伸縮部材を設けないようにした場合、吸収体コアへのシワ入りが防止されることとなり、排泄物の漏れを確実に防止することができる。
【発明の実施の形態】
【００１３】
以下、添付の図面を参照して、本願発明の幾つかの好適な実施の形態について詳述する。
【００１４】
第１の実施の形態
図１ないし図５には、本願発明の第１の実施の形態にかかる使い捨ておむつの要部が示されている。
【００１５】
この使い捨ておむつは、図１ないし図３に示すように、透液性のトップシート１と、不透液性のバックシート２と、これらの両シート１，２間に介在される吸収体コア３とからなっており、前後胴回り部５，６および股下部７を備えている（図１参照）。前記トップシート１とバックシート２とは、前記吸収体コア３の周縁から延出された部分でホットメルト接着剤（図示省略）を介して互いに接合されている。
【００１６】
前記後胴回り部６の前後方向中間部における左右両側端部６ａ，６ａには、前胴回り部５（図１参照）の所定部位に対して着脱自在とされる固定テープ８，８が取り付けられている。
【００１７】
前記各固定テープ８は、図３に示すように、テープ基材９の内面にフック形状の止着部材１０を取り付けメカニカルテープとされており、その固定端部８ａが後胴回り部６の端部６ａに固着され、その仮止め端部８ｂは、前記端部６ａから延出可能とされている。該仮止め端部８ｂの内面には、該仮止め端部８ｂの外側端寄りに形成された把持部１１を除く部分に前記した止着部材１０が設けられている。該把持部１１の外端形状は、周囲のものに引っ掛かりにくいように、円弧とされている。そして、図１に示すように、前記仮止め端部８ｂが延出状態とされて前胴回り部５の所定部位に設けられたフロントパッチＦに対して止着部材１０を係合させることにより、後胴回り部６と前胴回り部５とが結合されることとなっている。
【００１８】
前記フロントパッチＦは、メカニカルテープ８の止着部材１０と係合可能なループ材により形成されている。該ループ材としては、ナイロン、ポリエチレン、ポリエステル、ポリプロピレンまたはその組み合わせからなる織布、不織布等が挙げられる。
【００１９】
前記フロントパッチＦとして用いるループ材は、バックシート２が熱可塑性樹脂からなるフィルムで形成されている場合には不織布等からなるループ材をバックシート２の表面に取り付ける必要があるが、バックシート２が、フィルムの表面に不織布を貼り合わせた複合シートにより構成されている場合には、バックシート２表面の不織布をフロントパッチＦとして用いればよく、特にループ材を取り付ける必要はない。
【００２０】
そして、前記後胴回り部６の全域には、幅方向に延びる多数の弾性伸縮部材１２，１２・・が所定の配設ピッチで平行に配設されており、前記固定テープ８，８の取付部位（換言すれば、固定端部８ａ，８ａ）間に配設された弾性伸縮部材１２，１２・・の配設ピッチＰは、その他の部分における配設ピッチＰ′より小さく設定されている。つまり、固定テープ８，８の取付部位８ａ，８ａ間には、弾性伸縮部材１２，１２・・が集束配設されることとなっているのである。前記弾性伸縮部材１２としては、例えば天然ゴム、スパンデックス、発泡体、フィルムタイプのゴムなどの公知の弾性伸縮部材、特に好ましくは糸またはテープ状のゴム等が用いられる。また、特に胴周囲部の弾性伸縮部材を熱可塑化する場合には、熱可塑性の弾性部材を用いる必要があり、ポリエチレン、ポリウレタンなどが好ましく用いられる。
【００２１】
上記のように構成したことにより、後胴回り部６の全域に配設した多数の弾性伸縮部材１２，１２・・により後胴回り部６が胴回りの脇部分全体に固定されることとなり、装着時のズレ発生が防止される。しかも、固定テープ８，８の取付部位８ａ，８ａ間に配設された弾性伸縮部材１２，１２・・の配設ピッチＰを、その他の部分における配設ピッチＰ′より小さく設定したことにより、固定テープ８，８の取付部位８ａ，８ａ間に弾性伸縮部材１２，１２・・が集束配設されることとなり、装着時におけるズレ発生がより確実に防止される。
【００２２】
ところで、上記実施の形態においては、吸収体コア３に対応する部分にも弾性伸縮部材１２，１２・・が配設されているため、おしめ装着時に吸収体コア３にシワが入ってしまい、排泄物の漏れ発生が生ずる場合がある。
【００２３】
そこで、図４に示すように、弾性伸縮部材１２，１２・・のうち吸収体コア３に対応して配設される領域に対して、伸縮性を無くする伸縮性低下手段１３を施すのが好ましい。この伸縮性低下手段１３としては、弾性伸縮部材１２，１２・・のうち吸収体コア３に対応して配設される領域をカッターあるいは熱シールを用いて多数の穴１４，１４・・を形成して前記バックシート２とともにカットする手段を採用してもよい。なお、カッターと熱シールとを併用してもよい。また、図５に示すように、吸収体コア３に対応する部分には弾性伸縮部材を設けない手段を採用してもよい。このようにすると、吸収体コア３へのシワ入りが防止されることとなり、排泄物の漏れを確実に防止することができる。
【００２４】
ところで、後胴回り部６の長さをＡ、後胴回り部６の幅をＢ、後胴回り部６に配設された弾性伸縮部材１２，１２・・の長さをＣ、製品の全長をＤ、弾性伸縮部材１２のテンションをＥとしたとき、
Ｄ／６＜Ａ＜Ｄ／３
７Ｐ＜２Ｐ′
３Ｂ／５＜Ｃ＜Ｂ
Ａ＝８０〜１２０とするのが望ましく、
Ｐ＝１〜３ｍｍとするのが望ましく、
Ｄ＝３７０〜５２０ｍｍとするのが望ましく、
Ｅ＝１３０〜２５０％とするのが望ましい。
【００２５】
ちなみに、図９に示す従来例と、図２に示す実施例１と、図４および図５に示す実施例２とを比較したところ、下記表１の結果が得られた。ここで、伸縮力（ｇｆ／１００ｍｍ）：弾性伸縮部材１２を１００％伸長させた時の伸縮力、ズレ（ｍｍ）：ウォーキングダミーにおむつを装着し、人工尿を１００ｃｃ吸収させ、１００歩あるかせたときのズレ、背漏れ：ダミーにおむつを装着し、あお向けで人工尿を２５０ｃｃ吸収させた時に漏れた量
【００２６】
【表１】
0003993763.tif 000002
【００２７】
上記結果によれば、実施例１および実施例２においては従来例に比べてズレが大幅に減少していることが分かり、実施例２においては従来例に比べて背漏れが大幅に減少していることが分かる。つまり、後胴回り部６の全域に多数の弾性伸縮部材１２，１２・・を配設するとともに、固定テープ８，８の取付部位８ａ，８ａ間に配設された弾性伸縮部材１２，１２・・の配設ピッチＰを、その他の部分における配設ピッチＰ′より小さく設定したことの効果が実施例１および実施例２によって確認できるとともに、弾性伸縮部材１２，１２・・のうち吸収体コア３に対応して配設されたものに対して、伸縮性を無くする伸縮性低下手段１３を施した効果が実施例２によって確認できる。
【００２８】
第２の実施の形態
図６には、本願発明の第２の実施の形態にかかる使い捨ておむつの要部が示されている。
【００２９】
この場合、弾性伸縮部材１２，１２・・の全部が、幅方向中央部が股下部７に向かって湾曲する曲線を呈するように配設されている。また、この場合、吸収体コア３部分には弾性伸縮部材１２を設けないこととされている。なお、第１の実施の形態におけると同様に、弾性伸縮部材のうち吸収体コア３に対応して配設される領域をカッターあるいは（および）熱シールにより多数の穴を形成してカットして伸縮性を無くするようにしてもよい。なお、カットする方法としては、加圧によりカットする方法、熱シールと加圧を併用してカットする方法を採用することもできる。このようにすると、曲線を呈する弾性伸縮部材１２，１２・・が幼児の背中のラインに沿ってフィットすることとなり、装着時のズレ防止効果がより向上するし、吸収体コア３へのシワ入りが防止されることとなり、排泄物の漏れを確実に防止することができる。
【００３０】
第３の実施の形態
図７には、本願発明の第３の実施の形態にかかる使い捨ておむつの要部が示されている。
【００３１】
この場合、弾性伸縮部材１２，１２・・の一部（例えば、後胴回り部６の端部６ｂから固定テープ８，８の固定端部８ａ，８ａにかけての部分に設けられた弾性伸縮部材１２，１２・・）が、幅方向中央部が股下部７に向かって湾曲する曲線を呈するように配設されている。従って、固定テープ８，８の固定端部８ａ，８ａから股下部７にかけての部分に設けられた弾性伸縮部材１２，１２・・は直線形状とされている。また、この場合、吸収体コア３部分には弾性伸縮部材１２を設けないこととされている。なお、第１の実施の形態におけると同様に、弾性伸縮部材のうち吸収体コアに対応して配設される領域をカッターあるいは（および）熱シールにより多数の穴を形成してカットして伸縮性を無くするようにしてもよい。なお、カットする方法としては、加圧によりカットする方法、熱シールと加圧を併用してカットする方法を採用することもできる。このようにすると、曲線を呈する弾性伸縮部材１２，１２・・が幼児の背中のラインに沿ってフィットすることとなり、装着時のズレ防止効果がより向上するし、吸収体コア３へのシワ入りが防止されることとなり、排泄物の漏れを確実に防止することができる。
【発明の効果】
【００３２】
請求項１の発明によれば、トップシートと、バックシートと、これらの両シート間に介在される吸収体コアとからなり、後胴回り部の前後方向中間部における左右両側端部には、前胴回り部の所定部位に対して着脱自在とされる固定テープが取り付けられている使い捨ておむつにおいて、前記固定テープの固定端部を、前記トップシートと前記バックシートとの間に挟持することにより前記後胴回り部の左右両側端部に固着するとともに、前記後胴回り部の前後方向全域に、幅方向に延びる平行な多数の弾性伸縮部材を前記後胴回り部の幅方向両端部には存在せず且つ前記固定テープにおける固定端部の一部が重なるように配設して、後胴回り部の全域に配設した多数の弾性伸縮部材により後胴回り部が胴回りの脇部分全体に固定されるようにしたので、装着時におけるズレ発生を防止することができるという効果がある。しかも、後胴回り部の前後方向中間部における左右両側端部に取り付けられた固定テープの取付部位間に配設された弾性伸縮部材の配設ピッチを、その前後方向両側の部分における配設ピッチより小さく設定しているので、固定テープの取付部位間に弾性伸縮部材が集束配設されることとなり、装着時におけるズレ発生をより確実に防止することができるという効果もある。
【００３３】
請求項２の発明におけるように、請求項１記載の使い捨ておむつにおいて、前記弾性伸縮部材の全部あるいは一部を、幅方向中央部が股下部に向かって湾曲する曲線を呈するように配設した場合、曲線を呈する弾性伸縮部材が幼児の背中のラインに沿ってフィットすることとなり、装着時のズレ防止効果がより向上する。
【００３４】
請求項３の発明におけるように、請求項１および２のいずれか一項記載の使い捨ておむつにおいて、前記弾性伸縮部材のうち前記吸収体コアに対応して配設されたものに、カッターを用いて前記バックシートとともにカットすることにより形成された多数の穴からなる伸縮性を無くす手段を設けた場合、吸収体コアへのシワ入りが防止されることとなり、排泄物の漏れを確実に防止することができる。
【００３５】
請求項４の発明におけるように、請求項１および２のいずれか一項記載の使い捨ておむつにおいて、前記弾性伸縮部材のうち前記吸収体コアに対応して配設されたものには、熱シールと加圧とを併用して前記バックシートとともにカットすることにより形成された多数の穴からなる伸縮性を無くす手段を設けた場合、吸収体コアへのシワ入りが防止されることとなり、排泄物の漏れを確実に防止することができる。
【００３６】
請求項５の発明におけるように、請求項１および２のいずれか一項記載の使い捨ておむつにおいて、前記吸収体コアに対応する部分に、弾性伸縮部材を設けないようにした場合、吸収体コアへのシワ入りが防止されることとなり、排泄物の漏れを確実に防止することができる。
【図面の簡単な説明】
【図１】  本願発明の実施の形態にかかる使い捨ておむつの使用状態を示す斜視図である。
【図２】  本願発明の第１の実施の形態にかかる使い捨ておむつの一つの例を示す要部平面図である。
【図３】  本願発明の第１の実施の形態にかかる使い捨ておむつの要部拡大断面図である。
【図４】  本願発明の第１の実施の形態にかかる使い捨ておむつの他の例を示す要部平面図である。
【図５】  本願発明の第１の実施の形態にかかる使い捨ておむつのもう一つの他の例を示す要部平面図である。
【図６】  本願発明の第２の実施の形態にかかる使い捨ておむつの要部平面図である。
【図７】  本願発明の第３の実施の形態にかかる使い捨ておむつの要部平面図である。
【図８】  従来の使い捨ておむつの要部平面図である。
【符号の説明】
１はトップシート、２はバックシート、３は吸収体コア、５は前胴回り部、６は後胴回り部、６ａは側端部、７は股下部、８は固定テープ（メカニカルテープ）、８ａは取付部位（固定端部）、１２は弾性伸縮部材（糸ゴム）、１３は伸縮性低下手段、Ｐ，Ｐ′は配設ピッチ。
【図１】
0003993763.tif 000003
【図２】
0003993763.tif 000004
【図３】
0003993763.tif 000005
【図４】
0003993763.tif 000006
【図５】
0003993763.tif 000007
【図６】
0003993763.tif 000008
【図７】
0003993763.tif 000009
【図８】
0003993763.tif 000010